(57)【要約】【課題】起動後に突入電流抑制回路を非動作とし、所望の動作を確実に行うこと。【解決手段】本発明のＬＥＤ点灯装置は、電源とＬＥＤとの間に接続される少なくとも２つのスイッチング回路と、前記電源が発生する電源電圧、又は前記少なくとも２つのスイッチング回路の出力電圧を平滑するコンデンサと、前記電源のＯＮ時に、前記平滑コンデンサを経由して流れる突入電流を抑制する突入電流抑制回路と、を備えたＬＥＤ点灯装置であって、前記少なくとも２つのスイッチング回路から前記突入電流抑制回路の動作／非動作のトリガ信号を生成するトリガ回路を備え、最初に起動するスイッチング回路の動作タイミングから前記突入電流抑制回路を非動作とする。【選択図】図１
2012174509.tif 000002
【特許請求の範囲】
【請求項１】
電源とＬＥＤとの間に接続される少なくとも２つのスイッチング回路と、前記電源が発生する電源電圧、又は前記少なくとも２つのスイッチング回路の出力電圧を平滑するコンデンサと、前記電源のＯＮ時に、前記平滑コンデンサを経由して流れる突入電流を抑制する突入電流抑制回路と、を備えたＬＥＤ点灯装置において、
前記少なくとも２つのスイッチング回路から前記突入電流抑制回路の動作／非動作のトリガ信号を生成するトリガ回路を備え、
最初に起動するスイッチング回路の動作タイミングから前記突入電流抑制回路を非動作とすることを特徴とする、ＬＥＤ点灯装置。
【請求項２】
請求項１に記載のＬＥＤ点灯装置であって、
前記トリガ回路は、前記スイッチング回路の巻線部品の２次巻線の電圧を用いることを特徴とする、ＬＥＤ点灯装置。
【請求項３】
請求項１又は２記載のＬＥＤ点灯装置を搭載する照明器具。
【発明の詳細な説明】
【技術分野】
【０００１】
本発明は、ＬＥＤ点灯装置、ＬＥＤ点灯装置を備える照明器具に関する。
【背景技術】
【０００２】
通常、ＬＥＤ点灯装置は、電源ＯＮ時の電源電圧、又はスイッチング回路の出力電圧を平滑するコンデンサを経由して流れる突入電流を抑制するための突入電流抑制回路を備える。そして、ＬＥＤ点灯装置は、スイッチング回路起動時には、突入電流抑制回路を動作させ、所定のスイッチング回路が動作した時点で、突入電流抑制回路を非動作としている。
【０００３】
また、ＬＥＤ点灯装置が、複数のスイッチング回路を備える場合、所定のスイッチング回路が最初に起動しない場合がある。そのため、最初に所定のスイッチング回路が動作しないと、突入電流抑制回路が動作して、入力電流に制限がかかる場合がある。
【０００４】
したがって、ＬＥＤ点灯装置は、別のスイッチング回路が動作するための充分な電流を流すことができず、スイッチング回路が期待動作を行えない場合がある。期待動作とは、例えば、所望の出力電力をスイッチング回路に供給することを指す。
【０００５】
図６に、昇圧チョッパー回路７と降圧チョッパー回路９のスイッチング回路で構成された従来のＬＥＤ点灯装置の回路構成を示す（特許文献１、２参照）。
【０００６】
図６に示すＬＥＤ点灯装置では、突入電流抑制回路５の動作／非動作のトリガ信号を昇圧チョッパー回路７から供給する。この場合、電源１のＯＮ後、降圧チョッパー回路９が最初に起動すると、入力電流が突入電流抑制回路５の抵抗Ｒ１３を介して流れる。
【先行技術文献】
【特許文献】
【０００７】
【特許文献１】特開平５−２５７５４８号公報
【特許文献２】特開昭６０−５１４１５
【発明の概要】
【発明が解決しようとする課題】
【０００８】
したがって、図６に示すＬＥＤ点灯装置は、抵抗Ｒ１３両端に発生する電圧による入力電流の消費、及び降圧チョッパー回路９による入力電流の消費により、昇圧チョッパー回路７の出力の平滑コンデンサＣ１１に十分な電荷を蓄えることができない場合がある。
【０００９】
つまり、図６に示すＬＥＤ点灯装置では、昇圧チョッパー回路７の出力が所定の電圧値とならない可能性がある。
【００１０】
本発明の目的は、起動後に突入電流抑制回路を非動作とし、期待動作を確実に行うことができるＬＥＤ点灯装置、ＬＥＤ点灯装置を備える照明器具を提供することである。
【課題を解決するための手段】
【００１１】
本発明は、電源とＬＥＤとの間に接続される少なくとも２つのスイッチング回路と、前記電源が発生する電源電圧、又は前記少なくとも２つのスイッチング回路の出力電圧を平滑するコンデンサと、前記電源のＯＮ時に、前記平滑コンデンサを経由して流れる突入電流を抑制する突入電流抑制回路と、を備えたＬＥＤ点灯装置において、前記少なくとも２つのスイッチング回路から前記突入電流抑制回路の動作／非動作のトリガ信号を生成するトリガ回路を備え、最初に起動するスイッチング回路の動作タイミングから前記突入電流抑制回路を非動作とすることを特徴とするＬＥＤ点灯装置を提供する。
【００１２】
このＬＥＤ点灯装置において、前記トリガ回路は、前記スイッチング回路の巻線部品の２次巻線の電圧を用いることが好ましい。
【００１３】
また、本発明はこのＬＥＤ点灯装置を搭載する照明器具を提供する。
【発明の効果】
【００１４】
本発明に係るＬＥＤ点灯装置、ＬＥＤ点灯装置を備える照明器具によれば、起動後に突入電流抑制回路を非動作とし、期待動作を確実に行うことができる。
【図面の簡単な説明】
【００１５】
【図１】本発明の実施の形態１に係る照明装置の回路構成を示す図。
【図２】実施の形態１に係る照明装置の他の回路構成例（１）
【図３】実施の形態１に係る照明装置の他の回路構成例（２）
【図４】実施の形態１に係る照明装置の他の回路構成例（３）
【図５】本発明の実施の形態２に係る照明器具の構成を示す図
【図６】従来のＬＥＤ点灯装置の回路構成を示す図
【発明を実施するための形態】
【００１６】
以下、本発明の実施の形態について、図面を参照して説明する。
【００１７】
（実施の形態１）
本発明の実施の形態１に係る照明装置によれば、少なくとも２つのスイッチング回路から突入電流抑制回路のトリガ信号を生成し、最初に起動するスイッチング回路によるトリガ信号生成のタイミングで突入電流抑制回路を非動作とする。そのため、本実施の形態に係る照明装置では、電源ＯＮ後の起動後に即座に突入電流抑制回路を非動作となり、入力電流を充分に流すことができる。したがって、本実施の形態に係る照明装置によれば、期待動作を確実に行うことが可能である。期待動作とは、例えば、所望の出力電力をスイッチング回路に供給することを指す。
【００１８】
本実施の形態に係る照明装置は、ＬＥＤ点灯装置として機能し、例えば図１のように構成される。図１に示す照明装置の回路構成は、電源１０１に接続される入力フィルタ１０３と、整流回路１０５と、昇圧チョッパー回路１０７と、降圧チョッパー回路１０９と、平滑用コンデンサ（Ｃ１）と、突入電流抑制回路１１１と、制御回路１１３と、を備える。
【００１９】
電源１０１はＡＣ電源である。
【００２０】
昇圧チョッパー回路１０７は、ＭＯＳ−ＦＥＴ（Ｑ１）と、トランスＴ１の１次側ａ、及びトランスＴ１の２次側の一方（入力側ｂ）と、ダイオードＤ１と、抵抗Ｒ１から構成される。トランスＴ１は巻き線部品で構成される。
【００２１】
降圧チョッパー回路１０９は、ＭＯＳ−ＦＥＴ（Ｑ２）と、トランスＴ２の１次側ａ、及びトランスＴ２の２次側の一方（入力側ｂ）と、ダイオードＤ２と、抵抗Ｒ２と、コンデンサＣ２から構成される。トランスＴ２は巻き線部品で構成される。
【００２２】
突入電流抑制回路１１１は、電流低減部品として機能する抵抗Ｒ１０と、スイッチング素子Ｑ１０と、コンデンサＣ１０と、抵抗Ｒ１１、Ｒ１２と、ダイオードＤ１０、Ｄ１１と、トランスＴ１の２次側の他方（出力側ｃ）、トランスＴ２の２次側の他方（出力側ｃ）から構成される。
【００２３】
（昇圧チョッパー回路１０７の動作）
次に、昇圧チョッパー回路１０７の動作を説明する。トランスＴ１の２次側の一方（入力側ｂ）の信号により、ＭＯＳ−ＦＥＴ（Ｑ１）をＯＮするための検出信号が生成される。
【００２４】
また、ＭＯＳ−ＦＥＴ（Ｑ１）がＯＮする期間に流れる電流が抵抗Ｒ１により検出されることで、ＭＯＳ−ＦＥＴ（Ｑ１）をＯＦＦするための検出信号を生成する。
【００２５】
制御回路１１３は、各検出信号と基準電圧とを比較し、ＭＯＳ−ＦＥＴ（Ｑ１）をＯＮ／ＯＦＦするタイミングを決定する。
【００２６】
制御回路１１３は、決定したタイミングに基づきＭＯＳ−ＦＥＴ（Ｑ１）をＯＮ／ＯＦＦする信号を生成し、昇圧チョッパー回路１０７の出力電圧が所定電圧となるように制御する。
【００２７】
［降圧チョッパー回路１０９の動作］
次に、降圧チョッパー回路１０９の動作を説明する。トランスＴ２の２次側の一方（入力側ｂ）の信号により、ＭＯＳ−ＦＥＴ（Ｑ２）をＯＮするための検出信号が生成される。
【００２８】
また、ＭＯＳ−ＦＥＴ（Ｑ２）がＯＮする期間に流れる電流が、抵抗Ｒ２により検出されることで、ＭＯＳ−ＦＥＴ（Ｑ２）をＯＦＦするための検出信号が生成される。
【００２９】
制御回路１１３は、各検出信号と基準電圧とを比較し、ＭＯＳ−ＦＥＴ（Ｑ２）をＯＮ／ＯＦＦするタイミングを決定する。
【００３０】
制御回路１１３は、決定したＯＮ／ＯＦＦタイミングに基づき、ＭＯＳ−ＦＥＴ（Ｑ２）をＯＮ／ＯＦＦする信号を生成し、ＬＥＤ１に流す電流が所定電流となるように制御する。
【００３１】
［突入電流抑制回路１１１の動作］
突入電流抑制回路１１１は次のように構成される。なお、本実施の形態では、電流低減部品として機能する抵抗Ｒ１０は、突入電流低減を目的として設けられる。電流低減部品として、抵抗Ｒ１０の代わりにサーミスタを用いても良い。
【００３２】
スイッチング回路（昇圧チョッパー回路１０７、降圧チョッパー回路１０９）が起動した後、突入電流抑制回路１１１を非動作にする。つまり、本実施の形態では、電源１０１側から流れる入力電流が、電流低減部品（Ｒ１０）を経由せずに、スイッチング素子Ｑ１０を経由して、ほぼ短絡（導通）状態にする。
【００３３】
本実施の形態では、スイッチング素子Ｑ１０として、サイリスタを用いる。スイッチング素子Ｑ１０には、リレー、トランジスタやＭＯＳ−ＦＥＴ等を用いても良い。
【００３４】
図１では、スイッチング素子Ｑ１０として機能するサイリスタをＯＮさせるための起動電圧を、昇圧チョッパー回路１０７のトランスＴ１の２次側の他方（出力側ｃ）と、降圧チョッパー回路１０９のトランスＴ２の２次側の他方（出力側ｃ）から取る。
【００３５】
昇圧チョッパー回路１０７のトランスＴ１の２次側の他方（出力側ｃ）と、降圧チョッパー回路１０９のトランスＴ２の２次側の他方（出力側ｃ）とがトリガ回路として機能する。そして、そのトリガ回路から、突入電流抑制回路１１１の動作／非動作のトリガ信号が生成される。
【００３６】
本実施の形態では、昇圧チョッパー回路１０７及び降圧チョッパー回路１０９のいずれのスイッチング回路が最初に起動しても良いように、ダイオードＤ１０、Ｄ１１、抵抗Ｒ１１、Ｒ１２によりＯＲ回路が構成される。
【００３７】
ＯＲ回路の出力電圧がコンデンサＣ１０で平滑化されて、スイッチング素子Ｑ１０（サイリスタ）をＯＮさせる起動電圧とする。
【００３８】
そのため、本実施の形態に係る照明装置では、電源ＯＮ後、突入電流を、電流低減部品として機能する抵抗Ｒ１０で抑制することができる。突入電流の抑制後、本実施の形態に係る照明装置は、昇圧チョッパー回路１０７、降圧チョッパー回路１０９のいずれの一方が最初に起動しても、スイッチング素子Ｑ１０の起動電圧を確保することができる。
【００３９】
したがって、本実施の形態に係る照明装置では、電源ＯＮ後、スイッチング素子Ｑ１０が即座にＯＮし、各スイッチング回路（昇圧チョッパー回路１０７、降圧チョッパー回路１０９）は、期待動作を確実に行うことができる。
【００４０】
＜他の構成例（１）＞
ここで、図２に本実施の形態に係る照明装置の他の回路構成例（１）を示す。図２に示す回路構成例（１）が図１に示す回路構成と異なる点は、（１）ＬＥＤ２の点灯回路が追加された点と、（２）ＬＥＤ１、ＬＥＤ２の点灯回路用に突入電流抑制回路の構成を変更した点である。
【００４１】
以下、図２に示す回路構成において、図１に示す照明装置と同じ回路構成には、図１と同じ参照符号を付記し、その詳細な説明を省略する。
【００４２】
図２に示す構成では、ＬＥＤ２の点灯回路として、降圧チョッパー回路１２９と、その制御回路１３３とが設けられている。
【００４３】
［降圧チョッパー回路１２９］
降圧チョッパー回路１２９は、ＭＯＳ−ＦＥＴ（Ｑ３）と、トランスＴ３の１次側ａ、及びトランスＴ３の２次側の一方（入力側ｂ）と、ダイオードＤ３と、抵抗Ｒ３と、コンデンサＣ３から構成される。
【００４４】
次に、降圧チョッパー回路１２９の動作を説明する。トランスＴ３の２次側の一方（入力側ｂ）の信号により、ＭＯＳ−ＦＥＴ（Ｑ３）をＯＮするための検出信号が生成される。
【００４５】
また、ＭＯＳ−ＦＥＴ（Ｑ３）がＯＮする期間に流れる電流が、抵抗Ｒ３により検出されることで、ＭＯＳ−ＦＥＴ（Ｑ３）をＯＦＦするための検出信号が生成される。
【００４６】
制御回路１３３は、各検出信号と基準電圧とを比較し、ＭＯＳ−ＦＥＴ（Ｑ３）をＯＮ／ＯＦＦするタイミングを決定する。
【００４７】
制御回路１３３は、決定したタイミングに基づきＭＯＳ−ＦＥＴ（Ｑ３）をＯＮ／ＯＦＦする信号を生成し、ＬＥＤ２に流す電流が所定電流となるように制御する。
【００４８】
［突入電流抑制回路１３１の構成］
突入電流抑制回路１３１は次のように構成される。なお、本構成においても、電流低減部品として機能する抵抗Ｒ１０は、突入電流低減を目的として設けられる。電流低減部品として、抵抗Ｒ１０の代わりにサーミスタを用いても良い。
【００４９】
図２に示す突入電流抑制回路１３１は、抵抗Ｒ１０と、スイッチング素子Ｑ１０と、コンデンサＣ１０と、抵抗Ｒ１１、Ｒ１２と、ダイオードＤ１０、Ｄ１１、Ｄ１２と、トランスＴ１、Ｔ２、Ｔ３の２次側の他方（出力側ｃ）から構成される。
【００５０】
スイッチング回路（昇圧チョッパー１０７、降圧チョッパー回路１０９、降圧チョッパー回路１２９）が起動した後、突入電流抑制回路１３１を非動作にする。つまり、電源１０１側から流れる入力電流が、電流低減部品Ｒ１０を経由せずに、スイッチング素子Ｑ１０を経由して、ほぼ短絡（導通）状態にする。
【００５１】
図２では、スイッチング素子Ｑ１０として機能するサイリスタをＯＮさせるための起動電圧を、昇圧チョッパー回路１０７のトランスＴ１の２次側の他方（出力側ｃ）と、降圧チョッパー回路１０９のトランスＴ２の２次側の他方（出力側ｃ）、降圧チョッパー回路１２９のトランスＴ３の２次側の他方（出力側ｃ）から取る。
【００５２】
昇圧チョッパー回路１０７、降圧チョッパー回路１０９、降圧チョッパー回路１２９の各トランスの２次側の他方（出力側ｃ）がトリガ回路として機能する。そして、このトリガ回路から、突入電流抑制回路１３１の動作／非動作のトリガ信号が生成されている。
【００５３】
図２に示す構成では、昇圧チョッパー回路１０７、降圧チョッパー回路１０９、１２９のいずれのスイッチング回路が最初に起動しても良いように、ダイオードＤ１０、Ｄ１１、Ｄ１２、抵抗Ｒ１１，Ｒ１２によりＯＲ回路が構成される。
【００５４】
そして、ＯＲ回路の出力電圧がコンデンサＣ１０で平滑化されて、スイッチング素子Ｑ１０（サイリスタ）をＯＮさせるための起動電圧とする。
【００５５】
そのため、本実施の形態に係る照明装置では、図２に示す構成でも、電源ＯＮ後、突入電流を、電流低減部品である抵抗Ｒ１０で抑制することができる。突入電流の抑制後、本実施の形態に係る照明装置は、昇圧チョッパー回路１０７、降圧チョッパー回路１０９、降圧チョッパー回路１２９のいずれかが最初に起動しても、スイッチング素子Ｑ１０の起動電圧を確保することができる。
【００５６】
したがって、本実施の形態に係る照明装置では、図２に示す構成でも、電源ＯＮ後、スイッチング素子Ｑ１０が即座にＯＮし、各スイッチング回路（昇圧チョッパー回路１０７、降圧チョッパー回路１０９、降圧チョッパー回路１２９）は、期待動作を確実に行うことができる。
【００５７】
＜他の構成例（２）＞
ここで、図３に本実施の形態に係る照明装置の他の回路構成例（２）を示す。図３に示す回路構成例（２）が図１に示す回路構成と異なる点は、（１）昇圧チョッパー回路１０７がない点と、（２）ＬＥＤ２、ＬＥＤ３の点灯回路が追加された点と、（３）ＬＥＤ１、ＬＥＤ２、ＬＥＤ３の点灯回路用に突入電流抑制回路の構成を変更した点である。
【００５８】
以下、図３に示す回路構成において、図１に示す照明装置と同じ回路構成には、図１と同じ参照符号を付記し、その詳細な説明を省略する。
【００５９】
図３に示す構成では、ＬＥＤ２の点灯回路として、降圧チョッパー回路１２９と、その制御回路１３３とが設けられている。
【００６０】
［降圧チョッパー回路１２９］
降圧チョッパー回路１２９は、ＭＯＳ−ＦＥＴ（Ｑ３）と、トランスＴ３の１次側ａ、及びトランスＴ３の２次側の一方（入力側ｂ）と、ダイオードＤ３と、抵抗Ｒ３と、コンデンサＣ３から構成される。
【００６１】
次に、降圧チョッパー回路１２９の動作を説明する。トランスＴ３の２次側の一方（入力側ｂ）の信号により、ＭＯＳ−ＦＥＴ（Ｑ３）をＯＮするための検出信号が生成される。
【００６２】
また、ＭＯＳ−ＦＥＴ（Ｑ３）がＯＮする期間に流れる電流が、抵抗Ｒ３により検出されることで、ＭＯＳ−ＦＥＴ（Ｑ３）をＯＦＦするための検出信号が生成される。
【００６３】
制御回路１３３は、各検出信号と基準電圧とを比較し、ＭＯＳ−ＦＥＴ（Ｑ３）をＯＮ／ＯＦＦするタイミングを決定する。
【００６４】
制御回路１３３は、決定したタイミングに基づきＭＯＳ−ＦＥＴ（Ｑ３）をＯＮ／ＯＦＦする信号を生成し、ＬＥＤ２に流す電流が所定電流となるように制御する。
【００６５】
図３に示す構成では、ＬＥＤ３の点灯回路として、降圧チョッパー回路１４９と、その制御回路１５３とが設けられている。
【００６６】
［降圧チョッパー回路１４９］
降圧チョッパー回路１４９は、ＭＯＳ−ＦＥＴ（Ｑ４）と、トランスＴ４の１次側ａ、及びトランスＴ４の２次側の一方（入力側ｂ）と、ダイオードＤ４と、抵抗Ｒ４と、コンデンサＣ４から構成される。
【００６７】
次に、降圧チョッパー回路１４９の動作を説明する。トランスＴ４の２次側の一方（入力側ｂ）の信号により、ＭＯＳ−ＦＥＴ（Ｑ４）をＯＮするための検出信号が生成される。
【００６８】
また、ＭＯＳ−ＦＥＴ（Ｑ４）がＯＮする期間に流れる電流が、抵抗Ｒ４により検出されることで、ＭＯＳ−ＦＥＴ（Ｑ４）をＯＦＦするための検出信号が生成される。
【００６９】
制御回路１５３は、各検出信号と基準電圧とを比較し、ＭＯＳ−ＦＥＴ（Ｑ４）をＯＮ／ＯＦＦするタイミングを決定する。
【００７０】
制御回路１５３は、決定したタイミングに基づきＭＯＳ−ＦＥＴ（Ｑ４）をＯＮ／ＯＦＦする信号を生成し、ＬＥＤ３に流す電流が所定電流となるように制御する。
【００７１】
［突入電流抑制回路１５１の構成］
突入電流抑制回路１５１は次のように構成される。なお、本構成においても、電流低減部品として機能する抵抗Ｒ１０は、突入電流低減を目的として設けられる。電流低減部品として、抵抗Ｒ１０の代わりにサーミスタを用いても良い。
【００７２】
図３に示す突入電流抑制回路１５１は、抵抗Ｒ１０と、スイッチング素子Ｑ１０と、コンデンサＣ１０と、抵抗Ｒ１１、Ｒ１２と、ダイオードＤ１０、Ｄ１１、Ｄ１２と、トランスＴ２、Ｔ３、Ｔ４の２次側の他方（出力側ｃ）から構成される。
【００７３】
スイッチング回路（降圧チョッパー回路１０９、降圧チョッパー回路１２９、降圧チョッパー回路１４９）が起動した後、突入電流抑制回路１５１を非動作にする。つまり、電源１０１側から流れる入力電流が、電流低減部品である抵抗Ｒ１０を経由せずに、スイッチング素子Ｑ１０を経由して、ほぼ短絡（導通）状態にする。
【００７４】
図３では、スイッチング素子Ｑ１０として機能するサイリスタをＯＮさせるための起動電圧を、降圧チョッパー回路１０９のトランスＴ２の２次側の他方（出力側ｃ）、降圧チョッパー回路１２９のトランスＴ３の２次側の他方（出力側ｃ）、および降圧チョッパー回路１４９のトランスＴ４の２次側の他方（出力側ｃ）から取る。
【００７５】
降圧チョッパー回路１０９、降圧チョッパー回路１２９、降圧チョッパー回路１４９、の各トランスの２次側の他方（出力側ｃ）がトリガ回路として機能する。そして、このトリガ回路から、突入電流抑制回路１５１の動作／非動作のトリガ信号が生成されている。
【００７６】
図３に示す構成では、降圧チョッパー回路１０９、降圧チョッパー回路１２９、降圧チョッパー回路１４９のいずれのスイッチング回路から最初に起動しても良いように、ダイオードＤ１０、Ｄ１１、Ｄ１２、抵抗Ｒ１１、Ｒ１２によりＯＲ回路を構成する。
【００７７】
そして、ＯＲ回路の出力電圧がコンデンサＣ１０で平滑化されて、スイッチング素子Ｑ１０（サイリスタ）をＯＮさせるための起動電圧とする。
【００７８】
そのため、本実施の形態に係る照明装置では、図３に示す構成でも、電源ＯＮ後、突入電流を、電流低減部品である抵抗Ｒ１０で抑制することができる。突入電流の抑制後、本実施の形態に係る照明装置は、降圧チョッパー回路１０９、降圧チョッパー回路１２９、降圧チョッパー回路１４９、のいずれかが最初に起動しても、スイッチング素子Ｑ１０として機能するサイリスタの起動電圧を確保することができる。
【００７９】
したがって、本実施の形態に係る照明装置では、図３に示す構成でも、電源ＯＮ後、スイッチング素子Ｑ１０が即座にＯＮし、各スイッチング回路（降圧チョッパー回路１０９、降圧チョッパー回路１２９、降圧チョッパー回路１４９）は、期待動作を確実に行うことができる。
【００８０】
＜他の構成例（３）＞
ここで、図４に本実施の形態に係る照明装置の他の回路構成例（３）を示す。図４に示す回路構成例（３）が図１に示す回路構成異なる点は、（１）電源１０１の代わりに直流電源１２１を用いて入力フィルタ、整流回路、昇圧チョッパー回路を省いた点と、（２）ＬＥＤ２の点灯回路を追加した点と、（３）ＬＥＤ１、ＬＥＤ２の点灯回路用に突入電流抑制回路の構成を変更した点である。
【００８１】
以下、図４に示す回路構成において、図１に示す照明装置と同じ回路構成には、図１と同じ参照符号を付記し、その詳細な説明を省略する。
【００８２】
図３に示す構成では、ＬＥＤ２の点灯回路として、降圧チョッパー回路１２９と、その制御回路１３３とが設けられている。
【００８３】
［降圧チョッパー回路１２９］
降圧チョッパー回路１２９は、ＭＯＳ−ＦＥＴ（Ｑ３）と、トランスＴ３の１次側ａ、及びトランスＴ３の２次側の一方（入力側ｂ）と、ダイオードＤ３と、抵抗Ｒ３と、コンデンサＣ３から構成される。
【００８４】
次に、降圧チョッパー回路１２９の動作を説明する。トランスＴ３の２次側の一方（入力側ｂ）の信号により、ＭＯＳ−ＦＥＴ（Ｑ３）をＯＮするための検出信号が生成される。
【００８５】
また、ＭＯＳ−ＦＥＴ（Ｑ３）がＯＮする期間に流れる電流が、抵抗Ｒ３により検出されることで、ＭＯＳ−ＦＥＴ（Ｑ３）をＯＦＦするための検出信号が生成される。
【００８６】
制御回路１３３は、各検出信号と基準電圧とを比較し、ＭＯＳ−ＦＥＴ（Ｑ３）をＯＮ／ＯＦＦするタイミングを決定する。
【００８７】
制御回路１３３は、決定したタイミングに基づきＭＯＳ−ＦＥＴ（Ｑ３）をＯＮ／ＯＦＦする信号を生成し、ＬＥＤ２に流す電流が所定電流となるように制御する。
【００８８】
［突入電流抑制回路１７１の構成］
突入電流抑制回路１７１は次のように構成される。なお、本構成においても、電流低減部品として機能する抵抗Ｒ１０は、突入電流低減を目的として設けられる。電流低減部品として、抵抗Ｒ１０の代わりにサーミスタを用いても良い。
【００８９】
図４に示す突入電流抑制回路１７１は、抵抗Ｒ１０と、スイッチング素子Ｑ１０と、コンデンサＣ１０と、抵抗Ｒ１１、Ｒ１２と、ダイオードＤ１０、Ｄ１１、Ｄ１２と、トランスＴ２、Ｔ３の２次側の他方（出力側ｃ）から構成される。
【００９０】
スイッチング回路（降圧チョッパー回路１０９、降圧チョッパー回路１２９）が起動した後、突入電流抑制回路１７１を非動作にする。つまり、電源１２１側から流れる入力電流が、電流低減部品である抵抗Ｒ１０を経由せずに、スイッチング素子Ｑ１０を経由して、ほぼ短絡（導通）状態にする。
【００９１】
図４では、スイッチング素子Ｑ１０として機能するサイリスタをＯＮさせるための起動電圧を、降圧チョッパー回路１０９のトランスＴ２の２次側の他方（出力側ｃ）、降圧チョッパー回路１２９のトランスＴ３の２次側の他方（出力側ｃ）から取る。
【００９２】
降圧チョッパー回路１０９、降圧チョッパー回路１２９の各トランスの２次側の他方（出力側ｃ）がトリガ回路として機能する。そして、このトリガ回路から、突入電流抑制回路１７１の動作／非動作のトリガ信号が生成されている。
【００９３】
図４に示す構成では、降圧チョッパー回路１０９、降圧チョッパー回路１２９のいずれから最初に起動しても良いように、ダイオードＤ１０、Ｄ１１、Ｄ１２、抵抗Ｒ１１、Ｒ１２によりＯＲ回路を構成する。
【００９４】
そして、ＯＲ回路の出力電圧がコンデンサＣ１０で平滑化されて、スイッチング素子Ｑ１０（サイリスタ）のＯＮさせるための起動電圧とする。
【００９５】
そのため、本実施の形態に係る照明装置では、図４に示す構成でも、電源ＯＮ後、突入電流を、電流低減部品である抵抗Ｒ１０で抑制することができる。突入電流の抑制後、本実施の形態に係る照明装置は、降圧チョッパー回路１０９、降圧チョッパー回路１２９、のいずれかが最初に起動しても、スイッチング素子Ｑ１０として機能するサイリスタの起動電圧を確保することができる。
【００９６】
したがって、本実施の形態に係る照明装置では、図４に示す構成でも、電源ＯＮ後、スイッチング素子Ｑ１０が即座にＯＮし、各スイッチング回路（降圧チョッパー回路１０９、降圧チョッパー回路１２９）は、期待動作を確実に行うことができる。
【００９７】
なお、本実施の形態１に係る照明装置において、他の回路構成例（１）、（２）、（３）は複数のＬＥＤを備えるので、各ＬＥＤ点灯回路を独立の照明機器として有する照明システムとしても適用可能である。
【００９８】
（実施の形態２）
上記実施の形態１のＬＥＤ点灯装置は、たとえば図５に示す直管型のＬＥＤ照明器具１４０に使用することができる。図５は、実施の形態２に係る直管型のＬＥＤ照明器具１４０を示す図である。図５に示す直管型のＬＥＤ照明器具１４０は１灯用の照明器具である。
【００９９】
図５に示すように、実施の形態２に係るＬＥＤ照明器具１４０には、器具本体１４１と、器具本体１４１の両端に直管型のＬＥＤを取り付けるランプピン接触穴１４５及びばね１４４を有する一対のソケット１４２、１４３と、反射板１４６が設けられている。
【０１００】
図５に示す照明器具１４０に上記各実施の形態に示したＬＥＤ点灯装置を適用すれば、上記各実施の形態と同様の効果を得ることができる。
【０１０１】
なお、２灯以上の器具形態であっても、上記実施の形態に示したＬＥＤ点灯装置を適用可能である。
【０１０２】
なお、ＬＥＤは施設・店舗用途に用いられる直管型以外にも様々な形状のものを適用できる。
【産業上の利用可能性】
【０１０３】
本発明に係るＬＥＤ点灯装置、ＬＥＤ点灯装置を備える照明器具は、起動後に突入電流抑制回路を非動作とし、所望の動作を確実に行うことができる、という効果を有し、照明装置等として有用である。
【符号の説明】
【０１０４】
１０１                          電源
１０７                          昇圧チョッパー回路
１０９、１２９、１４９          降圧チョッパー回路
１１１、１３１、１５１、１７１  突入電流抑制回路
１１３、１３３、１５３          制御回路
１２１                          直流電源
１４０                          ＬＥＤ照明器具
１４１                          器具本体
１４２、１４３                  ソケット
１４４                          ばね
１４５                          ランプピン接触穴
１４６                          反射板
【図１】
2012174509.tif 000003
【図２】
2012174509.tif 000004
【図３】
2012174509.tif 000005
【図４】
2012174509.tif 000006
【図５】
2012174509.tif 000007
【図６】
2012174509.tif 000008